(57)【特許請求の範囲】
【請求項１】
高圧遠心送風機による送風手段により、発生した空気流を集めて高速度の風を吹き出す送風吹出口を持ち、前記送風吹出口が絞り込む急縮小形状として吹出口から高速風を送風する濡れた手を乾燥させる手乾燥装置であって、前記送風吹出口の手挿入方向の反対側のみの片方に補助板が設置されるように配置された手乾燥装置の吹出ノズル。
【請求項２】
高圧遠心送風機による送風手段により、発生した空気流を集めて高速度の風を吹き出す送風吹出口を持ち、前記手乾燥装置に送風吹出口の送風方向に対して前後および左右方向に一定の間隔をとって誘引効果を持たせるための補助板を設け、さらにその外側に送風方向に対して前後および左右方向に一定間隔をおいて補助板を設けた手乾燥装置の吹出ノズル。
【請求項３】
前記手乾燥装置に送風吹出口先端より下方に送風方向に対して前後および左右に補助板が突出するように設置した請求項２記載の手乾燥装置の吹出ノズル。
【請求項４】
高圧遠心送風機による送風手段により、発生した空気流を集めて高速度の風を吹き出す送風吹出口を持ち、前記送風吹出口が絞り込む急縮小形状として吹出口から高速風を送風する濡れた手を乾燥させる手乾燥装置であって、この送風吹出口の送風方向に対して前面方向およびフロントケース前面を覆う補助板を設けた手乾燥装置の吹出ノズル。
【請求項５】
高圧遠心送風機による送風手段により、発生した空気流を集めて高速度の風を吹き出す送風吹出口を持ち、前記送風吹出口が絞り込む急縮小形状として吹出口から高速風を送風する濡れた手を乾燥させる手乾燥装置であって、手乾燥室の一部分に孔を設けた返り板を設け誘引効果を持たせた手乾燥装置の吹出ノズル。
【請求項６】
高圧遠心送風機による送風手段により、発生した空気流を集めて高速度の風を吹き出す送風吹出口を持ち、前記送風吹出口が絞り込む急縮小形状として吹出口から高速風を送風する濡れた手を乾燥させる手乾燥装置であって、前記手乾燥装置に送風吹出口の送風方向に対して前後または左右方向に誘引効果を持たせるための補助板を設け、前記送風吹出口と前記補助板とが一体で成形された手乾燥装置の吹出ノズル。
【発明の詳細な説明】
【０００１】
【発明の属する技術分野】
本発明は、洗面所やトイレなどにて手を洗い、濡れた手を乾燥させる手乾燥装置に関するものである。
【０００２】
【従来の技術】
従来、この種の手乾燥装置の吹出ノズルは、当該機器の重要な構成部品であり、当該機器の性能を向上させるために各種の工夫がなされている。われわれが提案している手乾燥装置では吹出口を急縮小ノズルとしていることで高速度の風を送風することで乾燥時間を短縮できるものであった。
【０００３】
【発明が解決しようとする課題】
このような従来の吹出ノズルでは、高速度の風を吹き出させるために騒音が上昇する傾向にあり、風速を１０ｍ／ｓ増加することで約２．５ｄＢ（Ａ）の上昇があることがわかっている。
【０００４】
また、乾燥時間を短縮するために、風速および風量を増加させることが必要になってくるため、騒音の低下が難しくなるという課題があり、乾燥時間を短縮しながら、騒音を低下させることが要求されている。
【０００５】
また、製品価格が高く、できるだけ安価にしなければならないという課題があった。
【０００６】
本発明は、このような従来の課題を解決するもので、ノズル周辺に誘引効果を持たせ、風速を必要以上に増加させることなく風量を増大し乾燥時間を短縮することを目的としている。また、乾燥時間を短縮すると同時に騒音を低減させることを目的としている。
【０００７】
また、吹出ノズル部の製作コストを安価にすることを目的としている。
【０００８】
【課題を解決するための手段】
本発明の手乾燥装置の吹出ノズルは上記目的を達成するために、高圧遠心送風機による送風手段により、発生した空気流を集めて高速度の風を吹き出す送風吹出口を持ち、前記送風吹出口が絞り込む急縮小形状として吹出口から高速風を送風する濡れた手を乾燥させる手乾燥装置であって、前記送風吹出口の正面から見た形状が両端にいくにつれ下がっていることを特徴とする手乾燥装置の吹出ノズルとしたものである。
【０００９】
本発明によれば、風速を必要以上に増加させることなく手を挿入した場合に、即手全体に風が当たるようなノズル形状とすることで乾燥時間を短縮し、騒音を効果的に低減することのできる手乾燥装置の吹出ノズルが得られる。
【００１０】
また他の手段は、前記送風吹出口が絞り込む急縮小形状として吹出口から高速風を送風する濡れた手を乾燥させる手乾燥装置であって、前記送風吹出口の断面形状がスリット状になり、中央に向かうほど幅が大きくなるように速度分布を変化させた手乾燥装置の吹出ノズルとしたものである。
【００１１】
そして本発明によれば、高速風を送風することにより乾燥時間を短縮でき、その高速風の速度分布が変化し騒音の発生周波数が分散され、騒音レベルを低減できる手乾燥装置の吹出ノズルが得られる。
【００１２】
また他の手段は、前記送風吹出口が絞り込む急縮小形状として吹出口から高速風を送風する濡れた手を乾燥させる手乾燥装置であって、前記手乾燥装置に送風吹出口の送風方向に対して前後に一定の間隔をとって誘引効果を持たせるための補助板を設けたことを特徴とする手乾燥装置の吹出ノズルとしたものである。
【００１３】
そして本発明によれば、高速風を送風したとき、送風吹出口の幅が小さい場合には高速風の速度を上昇できるが、風量が減少してしまうため乾燥時間が長くなるのを防ぐため、補助板による誘引効果を持たせ風量を増加することで乾燥時間をより短縮し、風量増加にともなう騒音増加を補助板の遮音効果により防ぐことができる手乾燥装置の吹出ノズルが得られる。
【００１４】
また他の手段は、前記手乾燥装置の送風吹出口を補助板に覆い隠されるように突出して配置された手乾燥装置の吹出ノズルとしたものである。
【００１５】
そして本発明によれば、高速風を送風したとき、送風吹出口の幅が小さい場合には高速風の速度を上昇できるが、風量が減少してしまうため乾燥時間が長くなるのを防ぐため、補助板による誘引効果を持たせ風速を増加することで乾燥時間をより短縮し、風量増加にともなう騒音増加を補助板の遮音効果により防ぐことができる手乾燥装置の吹出ノズルが得られる。
【００１６】
また他の手段は、前記手乾燥装置に送風吹出口の手挿入方向の反対側のみの片方に補助板が設置されるように配置された手乾燥装置の吹出ノズルとしたものである。
【００１７】
そして本発明によれば、高速風を送風したとき、送風吹出口の幅が小さい場合には高速風の速度を上昇できるが、風量が減少してしまうため乾燥時間が長くなるのを防ぐため、補助板による誘引効果を持たせ風速を増加することで乾燥時間をより短縮するとともに、手乾燥室内の循環風を増加させ乾燥時間を短縮することができる。
【００１８】
また他の手段は、前記送風吹出口の送風方向に対して前後および左右方向に誘引効果を持たせるための補助板を設けた手乾燥装置の吹出ノズルとしたものである。
【００１９】
そして本発明によれば、風速を増加することなく風量を増大させ、手にあたる風の面積を大きくすることができる手乾燥装置の吹出ノズルが得られる。
【００２０】
また他の手段は、前記送風吹出口の送風方向に対して前後および左右方向に一定の間隔をとって誘引効果を持たせるための補助板を設け、さらにその外側の送風方向に対して前後および左右方向に一定間隔をおいて誘引効果を持たせるための補助板を設けた手乾燥装置の吹出ノズルとしたものである。
【００２１】
そして本発明によれば、風速を増加することなく風量を増大させ、手にあたる風の面積を前後方向のみでなく左右方向にも大きくすることができる手乾燥装置の吹出ノズルが得られる。
【００２２】
また他の手段は、前記手乾燥装置に送風吹出口先端より下方に送風方向に対して前後および左右方向に補助板が突出するように設置した手乾燥装置の吹出ノズルとしたものである。
【００２３】
そして本発明によれば、風速を増加することなく風量を増大させ、手にあたる風の面積を大きくすることができ、さらに送風吹出口を前方から遮断し遮音した手乾燥装置の吹出ノズルが得られる。
【００２４】
また他の手段は、送風吹出口の送風方向に対して前面方向およびフロントケースの前面を覆う補助板を設けた手乾燥装置の吹出ノズルとしたものである。
【００２５】
そして本発明によれば、風速を増加することなく手乾燥室の循環風量を増大させ手にあたる風の面積を大きくすることができ、さらに前面騒音を遮音した手乾燥装置の吹出ノズルが得られる。
【００２６】
また他の手段は、手乾燥室の一部分に孔を設けた返り板を設け、誘引効果を持たせた手乾燥装置の吹出ノズルとしたものである。
【００２７】
そして本発明によれば、風速を増加することなく風量を大幅に増大させ、手にあたる風の面積を大きくすることができ、さらに大幅に安価な手乾燥装置の吹出ノズルが得られる。
【００２８】
また他の手段は、前記手乾燥装置に送風吹出口の送風方向に対して前後または左右方向に誘引効果を持たせるための補助板を設け、前記送風吹出口と前記補助板とが一体で成形した手乾燥装置の吹出ノズルとしたものである。
【００２９】
そして本発明によれば、風速を増加することなく風量を大幅に増大させ、手にあたる風の面積を大きくすることができ、さらに送風吹出口と補助板とを一体で製作可能で安価となる手乾燥装置の吹出ノズルが得られる。
【００３０】
また他の手段は、前記手乾燥装置の補助板に切欠き穴を設けた手乾燥装置の吹出ノズルとしたものである。
【００３１】
そして本発明によれば、高速風を送風したとき、送風吹出口の幅が小さい場合には高速風の速度を上昇できるが、風量が減少してしまうため乾燥時間が長くなるのを防ぐため、補助板による誘引効果を持たせ風量を増加することで乾燥時間をより短縮し、さらに補助板で発生する乱れを切欠き穴で低減することができる手乾燥装置の吹出ノズルが得られる。
【００３２】
また他の手段は、前記手乾燥装置の補助板の断面形状が翼型である手乾燥装置の吹出ノズルとしたものである。
【００３３】
そして本発明によれば、高速風を送風したとき、送風吹出口の幅が小さい場合には高速風の速度を上昇できるが、風量が減少してしまうため乾燥時間が長くなるのを防ぐため、補助板による誘引効果を持たせ風量を増加することで乾燥時間をより短縮し、さらに補助板で発生する乱れを低減することができる手乾燥装置の吹出ノズルが得られる。
【００３４】
また他の手段は、前記手乾燥装置の補助板の送風吹出側の端面に凸部を設けた手乾燥装置の吹出ノズルとしたものである。
【００３５】
そして本発明によれば、高速風を送風したとき、送風吹出口の幅が小さい場合には高速風の速度を上昇できるが、風量が減少してしまうため乾燥時間が長くなるのを防ぐため、補助板による誘引効果を持たせ風量を増加することで乾燥時間をより短縮し、さらに補助板で発生する乱れを低減することができる手乾燥装置の吹出ノズルが得られる。
【００３６】
また他の手段は、前記手乾燥装置の補助板の材質の一部分あるいは全体を吸音材とした手乾燥装置の吹出ノズルとしたものである。
【００３７】
そして本発明によれば、高速風を送風したとき、送風吹出口の幅が小さい場合には高速風の速度を上昇できるが、風量が減少してしまうため乾燥時間が長くなるのを防ぐため、補助板による誘引効果を持たせ風量を増加することで乾燥時間をより短縮し、さらに補助板で発生する騒音を吸音効果を含め低減することができる手乾燥装置の吹出ノズルが得られる。
【００３８】
また他の手段は、前記手乾燥装置の送風吹出口の壁面に微細の溝を設けた手乾燥装置の吹出ノズルとしたものである。
【００３９】
そして本発明によれば、高速風を送風したとき、送風吹出口の幅が小さい場合には高速風の速度を上昇できるが、風量が減少してしまうため乾燥時間が長くなるのを防ぐため、補助板による誘因効果を持たせ風速を増加することで乾燥時間をより短縮し、さらに補助板で発生する損失を低減することができる手乾燥装置の吹出ノズルが得られる。
【００４０】
【発明の実施の形態】
本発明は、高圧遠心送風機による送風手段により、発生した空気流を集めて高速度の風を吹き出す送風吹出口を持ち、前記送風吹出口が絞り込む急縮小形状として吹出口から高速風を送風する濡れた手を乾燥させる手乾燥装置であって、前記送風吹出口の正面から見た形状が両端にいくにつれ下がっていることを特徴とする手乾燥装置の吹出ノズルとしたものであり、風速を必要以上に増加させることなく手を挿入した場合に、すぐに手全体に風が当たるようなノズル形状とすることで乾燥時間を短縮し、騒音を効果的に低減することができる。
【００４１】
また、高圧遠心送風機による送風手段により、高圧遠心送風機による送風手段により、発生した空気流を集めて高速度の風を吹き出す送風吹出口を持ち、前記送風吹出口が絞り込む急縮小形状として吹出口から高速風を送風する濡れた手を乾燥させる手乾燥装置であって、前記送風吹出口の断面形状がスリット状になり、中央に向かうほど幅が大きくなるように速度分布を変化させたことを特徴とする手乾燥装置の吹出ノズルとしたものであり、高速風を送風することにより乾燥時間を短縮でき、その高速風の速度分布が変化し騒音の発生周波数が分散され、騒音レベルを低減することができる。
【００４２】
また、高圧遠心送風機による送風手段により、発生した空気流を集めて高速度の風を吹き出す送風吹出口をもち、前記送風吹出口が絞り込む急縮小形状として吹出口から高速風を送風する濡れた手を乾燥させる手乾燥装置であって、前記手乾燥装置の送風吹出口の送風方向に対して前後に一定の間隔をとって誘引効果を持たせるための補助板を設けたことを特徴とする手乾燥装置の吹出ノズルとしたものであり、高速風を送風したとき、送風吹出口の幅が小さい場合には高速風の速度を上昇できるが、風量が減少してしまうため乾燥時間が長くなるのを防ぐため、補助板による誘因効果を持たせ風速を増加することで乾燥時間をより短縮することができる。
【００４３】
また、前記手乾燥装置の送風吹出口を補助板の一部分が覆い隠されるように突出して配置された手乾燥装置の吹出ノズルとしたものであり、高速風を送風したとき、送風吹出口の幅が小さい場合には高速風の速度を上昇できるが、風量が減少してしまうため乾燥時間が長くなるのを防ぐため、補助板による誘引効果を持たせ風速を増加することで乾燥時間をより短縮し、風速増加にともなう騒音増加を補助板の遮音効果により防ぐことができる。
【００４４】
また、前記手乾燥装置に送風吹出口の手挿入方向の反対側のみの片方に補助板が設置されるように配置された手乾燥装置の吹出ノズルとしたものであり、高速風を送風したとき、送風吹出口の幅が小さい場合には高速風の速度を上昇できるが、風量が減少してしまうため乾燥時間が長くなるのを防ぐため、補助板による誘引効果を持たせ風量を増加することで乾燥時間をより短縮し、手乾燥室内の循環風を増加し、誘引効果を持たせ風量を増加することで乾燥時間をより短縮することができる。
【００４５】
また、高圧遠心送風機による送風手段により、発生した空気流を集めて高速度の風を吹き出す送風吹出口を持ち、前記送風吹出口が絞り込む急縮小形状として吹出口から高速風を送風する濡れた手を乾燥させる手乾燥装置であって、前記送風吹出口の送風方向に対して前後および左右方向に誘引効果を持たせるための補助板を設けた手乾燥装置の吹出ノズルとしたものであり、広範囲から誘引し大風量を得ることができ乾燥時間の短縮ができる。
【００４６】
また、高圧遠心送風機による送風手段により、発生した空気流を集めて高速度の風を吹き出す送風吹出口を持ち、前記手乾燥装置の送風吹出口の送風方向に対して前後および左右方向に一定の間隔をとって誘引効果を持たせるための補助板を設け、さらにその外側に前後および左右方向に一定間隔をおいて補助板を設けた手乾燥装置の吹出ノズルとしたものであり、より広範囲から誘引し大風量を得ることができ乾燥時間の大幅な短縮ができる。
【００４７】
また、前記手乾燥装置の送風吹出口先端より下方に送風方向に対して前後および左右に補助板が突出するように設置した手乾燥装置の吹出ノズルとしたものであり、風量を増やし乾燥時間を短縮するのみでなく、前後および左右方向への音の伝搬を防ぐことができる。
【００４８】
また、高圧遠心送風機による送風手段により、発生した空気流を集めて高速度の風を吹き出す送風吹出口を持ち、前記送風吹出口が絞り込む急縮小形状として吹出口から高速風を送風する濡れた手を乾燥させる手乾燥装置であって、この送風吹出口の送風方向に対して前面方向およびフロントケース前面を覆う補助板を設けた手乾燥装置の吹出ノズルとしたものであり、風量の増加をおこない乾燥時間の短縮ができるとともに前面の騒音の遮音ができる。
【００４９】
また、高圧遠心送風機による送風手段により、発生した空気流を集めて高速度の風を吹き出す送風吹出口を持ち、前記送風吹出口が絞り込む急縮小形状として吹出口から高速風を送風する濡れた手を乾燥させる手乾燥装置であって、手乾燥室の一部分に孔を設けた返り板を設け誘引効果を持たせた手乾燥装置の吹出ノズルとしたものであり、誘引風により返り部での循環流を強め風量の増加をおこない乾燥時間の短縮ができる。
【００５０】
また、高圧遠心送風機による送風手段により、発生した空気流を集めて高速度の風を吹き出す送風吹出口を持ち、前記送風吹出口が絞り込む急縮小形状として吹出口から高速風を送風する濡れた手を乾燥させる手乾燥装置であって、前記手乾燥装置に送風吹出口の送風方向に対して前後または左右方向に誘引効果を持たせるための補助板を設け、前記送風吹出口と前記補助板とが一体で成形された手乾燥装置の吹出ノズルとしたものであり、製造コストを安価にできることに加えて、風量の増加をおこない乾燥時間の短縮ができる。
【００５１】
また、前記手乾燥装置の補助板の一部分に切欠き穴を設けた手乾燥装置の吹出ノズルとしたものであり、高速風を送風したとき、送風吹出口の幅が小さい場合には高速風の速度を上昇できるが、風量が減少してしまうため乾燥時間が長くなるのを防ぐため、補助板による誘引効果を持たせ風量を増加することで乾燥時間をより短縮し、さらに補助板で発生する乱れを低減することができる。
【００５２】
また、前記手乾燥装置の補助板の断面形状が翼型である手乾燥装置の吹出ノズルとしたものであり、高速風を送風したとき、送風吹出口の幅が小さい場合には高速風の速度を上昇できるが、風量が減少してしまうため乾燥時間が長くなるのを防ぐため、補助板による誘因効果を持たせ風量を増加することで乾燥時間をより短縮し、さらに補助板で発生する乱れを低減することができる。
【００５３】
また、前記手乾燥装置の補助板の送風吹出側の端面に凸部を設けた手乾燥装置の吹出ノズルとしたものであり、高速風を送風したとき、送風吹出口の幅が小さい場合には高速風の速度を上昇できるが、風量が減少してしまうため乾燥時間が長くなるのを防ぐため、補助板による誘因効果を持たせ風量を増加することで乾燥時間をより短縮し、さらに補助板で発生する乱れを低減することができる。
【００５４】
また、前記手乾燥装置の補助板の材質の一部分あるいは全体を吸音材とした手乾燥装置の吹出ノズルとしたものであり、高速風を送風したとき、送風吹出口の幅が小さい場合には高速風の速度を上昇できるが、風量が減少してしまうため乾燥時間が長くなるのを防ぐため、補助板による誘因効果を持たせ風量を増加することで乾燥時間をより短縮し、さらに補助板で発生する騒音を吸音効果を含め低減することができる。
【００５５】
また、前記手乾燥装置の送風吹出口の壁面に微細の溝を設けた手乾燥装置の吹出ノズルとしたものであり、高速風を送風したとき、送風吹出口の幅が小さい場合には高速風の速度を上昇できるが、風量が減少してしまうため乾燥時間が長くなるのを防ぐため、補助板による誘因効果を持たせ風量を増加することで乾燥時間をより短縮し、さらに補助板で発生する損失を低減することができる。
【００５６】
以下、本発明の実施例について図面を参照しながら説明する。
【００５７】
【実施例】
（実施例１）
図１〜図５に示すように、手乾燥装置本体１はフロントケース２および下部に突設した水受け部３で構成され、フロントケース２内に送風手段４を設け、吹出口５を水受け部３に向けて設けている。手乾燥装置本体１は取付金具６をねじ等の固定具７にて洗面所等の壁面に取り付けて固定されており、手乾燥装置本体１の内部には送風手段４として高圧遠心送風機８を用い、吹出口５の先端での送風吹出口９の形状を正面から見た形状が両端にいくにつれ下がっている。
【００５８】
上記構成により高圧遠心送風機８により発生した高静圧空気は吹出口５を通って送風される風を、送風吹出口９が絞り込む急縮小形状として吹出口５から高速風を送風することにより乾燥時間を短縮できるものであり、高速風が手に均一に当たるため乾燥時間を短くできるので、９０ｍ／ｓ以上の高速風を必要としなくなる。
【００５９】
すなわち図５に示すように、風速と騒音の関係は比例関係となるため、風速を低減することで騒音も大幅に低減でき、また高圧遠心送風機８の回転数の低減にもなり、消費電力の低減となる。
【００６０】
（実施例２）
実施例１と同一箇所には同一番号を付し、その詳細な説明は省略する。
【００６１】
図６および図７に示すように、送風吹出口１０の断面形状がスリット状になり、中央に向かうほどスリットの幅が大きくなっている。
【００６２】
上記構成により高静圧空気は吹出口５を通って送風される風を、送風吹出口１０が絞り込む急縮小形状として吹出口５から高速風を送風することにより乾燥時間を短縮できるものであり、高速風の速度分布が変化し騒音の発生周波数が分散され、騒音レベルを低減できる。
【００６３】
（実施例３）
実施例１と同一箇所には同一番号を付し、その詳細な説明は省略する。
【００６４】
図８および図９に示すように、送風吹出口１１の断面形状はスリット状になり、幅は通常２．５ｍｍの間隔となっている。この送風吹出口１１を複数の格子１２により分割している。
【００６５】
上記構成により高静圧空気は吹出口５を通って送風される風を、送風吹出口１１が絞り込む急縮小形状として吹出口５から高速風を送風することにより乾燥時間を短縮できるものであり、複数の格子により高速風の出口での乱れを整流することで、騒音レベルを低減できる。
【００６６】
（実施例４）
実施例１と同一箇所には同一番号を付し、その詳細な説明は省略する。
【００６７】
図１０および図１１に示すように、送風吹出口１３の前後に前記送風吹出口１３から一定の間隔をとって補助板１４を設置している。
【００６８】
上記構成により高静圧空気は吹出口５を通って、絞り込む急縮小形状となっている前記送風吹出口１３から高速風となり送風される。前記送風吹出口１３の幅が小さい場合には高速風の速度を上昇できるが、風量が減少して乾燥時間が長くなるのを防ぐため、補助板１４による誘引効果をもたせ風量を増加することで乾燥時間をより短縮することができる。
【００６９】
（実施例５）
実施例１および実施例５と同一箇所には同一番号を付し、その詳細な説明は省略する。
【００７０】
図１２および図１３に示すように、送風吹出口１５の前後に前記送風吹出口１５から一定の間隔をとり、かつ送風吹出口１５を覆い隠すように送風吹出口１５より長く突出した補助板１６を設置している。
【００７１】
上記構成により高静圧空気は吹出口５を通って、絞り込む急縮小形状となっている前記送風吹出口１５から高速風となり送風される。前記送風吹出口１５の幅が小さい場合には高速風の速度を上昇できるが、風量が減少して乾燥時間が長くなるのを防ぐため、補助板１６による誘引効果をもたせ風量を増加することで乾燥時間をより短縮し、また送風吹出口１５を覆い隠すように送風吹出口１５より長く突出した補助板１６により風速増加にともなう騒音増加を遮音効果により防ぐことができる。
【００７２】
（実施例６）
実施例１および実施例４と同一箇所には同一番号を付し、その詳細な説明は省略する。
【００７３】
図１４に示すように、送風吹出口１７の後部に前記送風吹出口１７から一定の間隔をとり、すなわち送風吹出口１７の手挿入方向と反対側に補助板１８を設置している。
【００７４】
上記構成により高静圧空気は吹出口５を通って、絞り込む急縮小形状となっている前記送風吹出口１７から高速風となり送風される。前記送風吹出口１７を通って送風される高速風は、手乾燥室（図示せず）で循環するが、前記補助板１８が設置されているため、誘引効果により循環風量を増加し乾燥時間をより短縮し、風速を増加させずに済み騒音上昇を防ぐことができる。
【００７５】
（実施例７）
実施例１、４および実施例５と同一箇所には同一番号を付し、その詳細な説明は省略する。
【００７６】
図１５に示すように、送風吹出口１９の前後に前記送風吹出口１９から一定の間隔をとって補助板２０を設置し、さらに左右にも補助板２１を設置している。
【００７７】
上記構成により高静圧空気は吹出口５を通って、絞り込む急縮小形状となっている前記送風吹出口１９から高速風となり送風される。前記送風吹出口１９の幅が小さい場合には高速風の速度を上昇できるが、風量が減少して乾燥時間が長くなるのを防ぐため、補助板２０および補助板２１により前後左右の誘引効果をもたせ、風量を増加することで乾燥時間をより短縮することができる。
【００７８】
（実施例８）
実施例１、４、５および実施例７と同一箇所には同一番号を付し、その詳細な説明は省略する。
【００７９】
図１６に示すように、送風吹出口２２の送風方向に対して前後に前記送風吹出口２２から一定の間隔をとって補助板２３を設置し、さらに左右にも補助板２４を設置している。また前記補助板２３、２４から一定の間隔をとって別の前後および左右の幅を変えた補助板２５、２６が送風方向に対して前後左右に設置されている。
【００８０】
上記構成により高静圧空気は吹出口５を通って、絞り込む急縮小形状となっている前記送風吹出口２２から高速風となり送風される。前記送風吹出口２２の幅が小さい場合には高速風の速度を上昇できるが、風量が減少して乾燥時間が長くなるのを防ぐため、補助板２３、補助板２４、補助板２５、および補助板２６により前後左右の誘引効果をもたせ大幅に風量を増加することで乾燥時間を大幅に短縮することができる。
【００８１】
（実施例９）
実施例１、４、５および実施例７と同一箇所には同一番号を付し、その詳細な説明は省略する。
【００８２】
図１７に示すように、送風吹出口２７の送風方向に対して前後に前記送風吹出口２７から一定の間隔をとって補助板２８を設置し、さらに左右にも補助板２９を設置している。しかも前記補助板２８および２９は前記送風吹出口２７の端面より下方に突出するよう設置している。
【００８３】
上記構成により高静圧空気は吹出口５を通って、絞り込む急縮小形状となっている前記送風吹出口２７から高速風となり送風される。前記送風吹出口２７の幅が小さい場合には高速風の速度を上昇できるが、風量が減少して乾燥時間が長くなるのを防ぐため、補助板２８および補助板２９により前後左右の誘引効果をもたせ風量を増加することで乾燥時間をより短縮するとともに、送風吹出口２７の端面より下方に突出しているので前後左右への騒音の放射を遮音できる。
【００８４】
なお、前記補助板２８および２９が複数設置してある場合も、同等の効果を発揮する。
【００８５】
（実施例１０）
実施例１および実施例４と同一箇所には同一番号を付し、その詳細な説明は省略する。
【００８６】
図１８に示すように、送風吹出口３０の前に前記送風吹出口３０から一定の間隔をとって、かつフロントケース２の前面を覆うように補助板３１を設置している。
【００８７】
上記構成により高静圧空気は吹出口５を通って、絞り込む急縮小形状となっている前記送風吹出口３０から高速風となり送風される。前記送風吹出口３０の幅が小さい場合には高速風の速度を上昇できるが、風量が減少して乾燥時間が長くなるのを防ぐため、補助板３１により前面の誘引効果をもたせ風量を増加することで乾燥時間をより短縮するとともに、フロントケース２の前面を覆うように設けた補助板３１により騒音の放射を遮音することができる。
【００８８】
（実施例１１）
実施例１と同一箇所には同一番号を付し、その詳細な説明は省略する。
【００８９】
図１９に示すように、手乾燥室３２には循環風を強くするための返り板３３が、送風吹出口３４の前に前記送風吹出口３４から一定の間隔をとって設置されており、また前記返り板３３は一部分に孔３５を設け、誘引効果を持たせるように設置されている。
【００９０】
上記構成により高静圧空気は吹出口５を通って、絞り込む急縮小形状となっている前記送風吹出口３４から高速風となり送風される。前記送風吹出口３４の幅が小さい場合には高速風の速度を上昇できるが、風量が減少して乾燥時間が長くなるのを防ぐため、手乾燥室３２の上部に設けた返り板３３により誘引効果をもたせて風量を増加することで乾燥時間をより短縮することができる。
【００９１】
（実施例１２）
実施例１、４、５および実施例７と同一箇所には同一番号を付し、その詳細な説明は省略する。
【００９２】
図２０に示すように、送風吹出口３６の前に前記送風吹出口３６から一定の間隔をとって補助板３７を設け、前記送風吹出口３６と前記補助板３７を一体で成形されている。
【００９３】
上記構成により高静圧空気は吹出口５を通って、絞り込む急縮小形状となっている前記送風吹出口３６から高速風となり送風される。前記送風吹出口３６の幅が小さい場合には高速風の速度を上昇できるが、風量が減少して乾燥時間が長くなるのを防ぐため、補助板３７を設け誘引効果をもたせ風量を増加することで乾燥時間をより短縮するとともに前記送風吹出口３６と前記補助板３７を一体で成形することにより製造コストを安価にすることができる。
【００９４】
（実施例１３）
実施例１、４および実施例５と同一箇所には同一番号を付し、その詳細な説明は省略する。
【００９５】
図２１に示すように、送風吹出口３８の前後に吹出口５から一定の間隔をとり、かつ送風吹出口３８を覆い隠すように補助板３９を設置し、その補助板３９の送風吹出口３８付近の一部分に切欠き穴４０を設けたものである。
【００９６】
上記構成により高静圧空気は吹出口５を通って送風される風を、送風吹出口３８が絞り込む急縮小形状として吹出口５から高速風を送風することとなり、送風吹出口３８の幅が小さい場合には高速風の速度を上昇できるが、風量が減少してしまうため乾燥時間が長くなるのを防ぐため、補助板３９による誘引効果を持たせ風速を増加することで乾燥時間をより短縮し、風速増加にともなう騒音増加を補助板３９の遮音効果により防ぎ、さらに補助板３９に設けた切欠き穴４０により補助板３９で発生する乱れを低減することができる。
【００９７】
（実施例１４）
実施例１、４および実施例５と同一箇所には同一番号を付し、その詳細な説明は省略する。
【００９８】
図２２に示すように、送風吹出口４１の前後に吹出口５から一定の間隔をとり、かつ送風吹出口４１を覆い隠すように補助板４２を設置し、その補助板４２の形状を翼型にしたものである。
【００９９】
上記構成により高静圧空気は吹出口５を通って送風される風を、送風吹出口４１が絞り込む急縮小形状として吹出口５から高速風を送風することとなり、送風吹出口４１の幅が小さい場合には高速風の速度を上昇できるが、風量が減少してしまうため乾燥時間が長くなるのを防ぐため、補助板４２による誘引効果を持たせ風速を増加することで乾燥時間をより短縮し、風速増加にともなう騒音増加を補助板４２の遮音効果により防ぎ、さらに翼型にした補助板４２により補助板４２で発生する乱れを低減することができる。
【０１００】
（実施例１５）
実施例１、４および実施例５と同一箇所には同一番号を付し、その詳細な説明は省略する。
【０１０１】
図２３に示すように、送風吹出口４３の前後に吹出口５から一定の間隔をとり、かつ送風吹出口４３を覆い隠すように補助板４４を設置し、その補助板４４の端面に凸部４５を設けたものである。
【０１０２】
上記構成により高静圧空気は吹出口５を通って送風される風を、送風吹出口４３が絞り込む急縮小形状として吹出口５から高速風を送風することとなり、送風吹出口４３の幅が小さい場合には高速風の速度を上昇できるが、風量が減少してしまうため乾燥時間が長くなるのを防ぐため、補助板４４による誘引効果を持たせ風速を増加することで乾燥時間をより短縮し、風速増加にともなう騒音増加を補助板４４の遮音効果により防ぎ、さらに補助板４４の端面に設けた凸部４５により補助板４４で発生する乱れを低減することができる。
【０１０３】
（実施例１６）
実施例１、４および実施例５と同一箇所には同一番号を付し、その詳細な説明は省略する。
【０１０４】
図２４に示すように、送風吹出口４６の前後に吹出口５から一定の間隔をとり、かつ送風吹出口４６を覆い隠すように補助板４７を設置し、その補助板４７の材質を吸音材４８にしたものである。
【０１０５】
上記構成により高静圧空気は吹出口５を通って送風される風を、送風吹出口４６が絞り込む急縮小形状として吹出口５から高速風を送風することとなり、送風吹出口４６の幅が小さい場合には高速風の速度を上昇できるが、風量が減少してしまうため乾燥時間が長くなるのを防ぐため、補助板４７による誘引効果を持たせ風速を増加することで乾燥時間をより短縮し、風速増加にともなう騒音増加を補助板４７の遮音効果により防ぎ、さらに材質が吸音材４８であるので補助板４７で発生する騒音を吸音効果を含め低減することができる。
【０１０６】
（実施例１７）
実施例１と同一箇所には同一番号を付し、その詳細な説明は省略する。
【０１０７】
図２５に示すように、送風吹出口４９の前後に吹出口５から一定の間隔をとり、かつ送風吹出口４９を覆い隠すように補助板５０を設置し、その送風吹出口４９の壁面に微細の溝５１を加工したものである。
【０１０８】
上記構成により高静圧空気は吹出口５を通って送風される風を、送風吹出口４９が絞り込む急縮小形状として吹出口５から高速風を送風することとなる、送風吹出口４９の幅が小さい場合には高速風の速度を上昇できるが、風量が減少してしまうため乾燥時間が長くなるのを防ぐため、補助板５０による誘引効果を持たせ風速を増加することで乾燥時間をより短縮し、風速増加にともなう騒音増加を補助板５０の遮音効果により防ぎ、さらに送風吹出口４９の壁面に設けた溝５１により送風吹出口４９で発生する損失を低減することができる。
【０１０９】
【発明の効果】
以上の実施例から明らかなように、本発明によれば、風速を必要以上に増加させることなく手を挿入した場合にすぐに全体に風が当たるようなノズル形状とすることで乾燥時間を短縮し、騒音を効果的に低減することのできるという効果のある手乾燥装置の吹出ノズルを提供できる。
【０１１０】
また、高速風を送風することにより乾燥時間を短縮でき、その高速風の速度分布が変化し騒音の発生周波数が分散され、騒音レベルを低減できる手乾燥装置の吹出ノズルを提供できる。
【０１１１】
また、高速風を送風することにより乾燥時間を短縮でき、高速風の出口での乱れを整流することで、騒音レベルを低減できる手乾燥装置の吹出ノズルを提供できる。
【０１１２】
また、高速風を送風したとき、送風吹出口の幅が小さい場合には高速風の速度を上昇できるが、風量が減少してしまうため乾燥時間が長くなるのを防ぐため、補助板による誘引効果を持たせ風速を増加することで乾燥時間をより短縮することができる手乾燥装置の吹出ノズルを提供できる。
【０１１３】
また、高速風を送風したとき、送風吹出口の幅が小さい場合には高速風の速度を上昇できるが、風量が減少してしまうため乾燥時間が長くなるのを防ぐため、補助板による誘引効果を持たせ風量を増加することで乾燥時間をより短縮し、風速増加にともなう騒音増加を補助板の遮音効果により防ぐことができる手乾燥装置の吹出ノズルを提供できる。
【０１１４】
また、手乾燥室での循環風量を補助板の誘引効果により増加させ、吹出口での風速を増加させることなく、したがって騒音上昇させることなく、乾燥時間をより短縮することができる手乾燥装置の吹出ノズルを提供できる。
【０１１５】
また、高速風を送風したとき、送風吹出口の幅が小さい場合には高速風の速度を上昇できるが、風量が減少してしまうため乾燥時間が長くなるのを防ぐため、補助板による誘引効果を持たせ風量を増加することで乾燥時間をより短縮し、風速増加にともなう吹出口および本体前面での騒音増加を補助板の遮音効果により防ぐことができる手乾燥装置の吹出ノズルを提供できる。
【０１１６】
また、高速風を送風したとき、送風吹出口の幅が小さい場合には高速風の速度を上昇できるが、風量が減少してしまうため乾燥時間が長くなるのを防ぐため、補助板による誘引効果を持たせ風量を増加することで乾燥時間をより短縮するとともに、返り部や吹出口と一体とすることにより製造コストの安価な手乾燥装置の吹出ノズルを提供できる。
【図面の簡単な説明】
【図１】本発明の実施例１の手乾燥装置の吹出ノズルの斜視図
【図２】同要部断面図
【図３】同手乾燥装置の吹出ノズルを適用した手乾燥装置の全体を示す断面図
【図４】同正面図
【図５】同風速−騒音特性曲線を示す図
【図６】同実施例２の手乾燥装置の吹出ノズルの斜視図
【図７】同正面図
【図８】同実施例３の手乾燥装置の吹出ノズルの斜視図
【図９】同正面図
【図１０】同実施例４の手乾燥装置の吹出ノズルの斜視図
【図１１】同要部断面図
【図１２】同実施例５の手乾燥装置の吹出ノズルの斜視図
【図１３】同要部断面図
【図１４】同実施例６の手乾燥装置の吹出ノズルの斜視図
【図１５】同実施例７の手乾燥装置の吹出ノズルの斜視図
【図１６】同実施例８の手乾燥装置の吹出ノズルの斜視図
【図１７】同実施例９の要部断面図
【図１８】同実施例１０の断面図
【図１９】同実施例１１の断面図
【図２０】同実施例１２の要部断面図
【図２１】同実施例１３の手乾燥装置の吹出ノズルの斜視図
【図２２】同実施例１４の手乾燥装置の吹出ノズルの斜視図
【図２３】同実施例１５の手乾燥装置の吹出ノズルの斜視図
【図２４】同実施例１６の手乾燥装置の吹出ノズルの斜視図
【図２５】同実施例１７の手乾燥装置の吹出ノズルの斜視図
【符号の説明】
１        手乾燥装置本体
２        フロントケース
４        送風手段
５        吹出口
８        高圧遠心送風機
９        送風吹出口
１０    送風吹出口
１１    送風吹出口
１２    格子
１３    送風吹出口
１４    補助板
１５    送風吹出口
１６    補助板
１７    送風吹出口
１８    補助板
１９    送風吹出口
２０    補助板
２１    補助板
２２    送風吹出口
２３    補助板
２４    補助板
２５    補助板
２６    補助板
２７    送風吹出口
２８    補助板
２９    補助板
３０    送風吹出口
３１    補助板
３２    手乾燥室
３３    返り板
３４    送風吹出口
３５    孔
３６    送風吹出口
３７    補助板
３８    送風吹出口
３９    補助板
４０    切欠き穴
４１    送風吹出口
４２    補助板
４３    送風吹出口
４４    補助板
４５    凸部
４６    送風吹出口
４７    補助板
４８    吸音材
４９    送風吹出口
５０    補助板
５１    溝
【図１】
0003585712.tif 000002
【図２】
0003585712.tif 000003
【図３】
0003585712.tif 000004
【図４】
0003585712.tif 000005
【図５】
0003585712.tif 000006
【図６】
0003585712.tif 000007
【図７】
0003585712.tif 000008
【図８】
0003585712.tif 000009
【図９】
0003585712.tif 000010
【図１０】
0003585712.tif 000011
【図１１】
0003585712.tif 000012
【図１２】
0003585712.tif 000013
【図１３】
0003585712.tif 000014
【図１４】
0003585712.tif 000015
【図１５】
0003585712.tif 000016
【図１６】
0003585712.tif 000017
【図１７】
0003585712.tif 000018
【図１８】
0003585712.tif 000019
【図１９】
0003585712.tif 000020
【図２０】
0003585712.tif 000021
【図２１】
0003585712.tif 000022
【図２２】
0003585712.tif 000023
【図２３】
0003585712.tif 000024
【図２４】
0003585712.tif 000025
【図２５】
0003585712.tif 000026